(57)【特許請求の範囲】
【請求項１】
ランプ電極が両端に設けられた放電管及び該放電管の該ランプ電極のある側に設けた口金部を備えるランプと、該ランプに接続され該ランプを共振回路により放電点灯させる高周波点灯装置と、を有して成る照明装置において、前記共振回路に、前記口金部近傍又は前記ランプ電極近傍の異常温度を検知する異常温度検知部を設け、前記異常温度検知部が異常温度を検出すると前記共振回路の共振条件を変更し共振電流を抑制する電流抑制部を設けたことを特徴とする照明装置。
【請求項２】
前記放電管の管径は２２ミリメートル以下であることを特徴とする請求項１記載の照明装置。
【請求項３】
前記異常温度検知部を、前記口金部を支持するソケットに内蔵したことを特徴とする請求項１又は請求項２記載の照明装置。
【請求項４】
前記異常温度検知部を、前記ランプに設けたことを特徴とする請求項１又は請求項２記載の照明装置。
【請求項５】
前記異常温度検知部を、前記ランプの前記ランプ電極近傍の前記放電管表面に設けたことを特徴とする請求項４記載の照明装置。
【請求項６】
前記異常温度検知部を、前記ランプの前記口金部の表面に設けたことを特徴とする請求項４記載の照明装置。
【請求項７】
前記異常温度検知部を、前記ランプの前記口金部の内部に設けたことを特徴とする請求項４記載の照明装置。
【請求項８】
前記ランプは、両端の前記ランプ電極を一箇所に集中して設け、前記異常温度検知部を、２つの前記ランプ電極の間に位置させて設けたことを特徴とする請求項１乃至請求項７のいずれかに記載の照明装置。
【発明の詳細な説明】
【０００１】
【発明の属する技術分野】
本発明は、ランプを放電点灯させる照明装置に関する。
【０００２】
【従来の技術】
従来の照明装置を図２５乃至図２７を用いて説明する。図２５は照明装置の構成を示すブロック図である。図２６は共振カーブの説明図である。図２７はランプの管径と始動電圧及び定格出力時ランプ電圧との関係の説明図である。
【０００３】
図２５において、照明装置は、交流電源１と、ＡＣ／ＤＣ変換部２と、高周波発振部３と、共振回路部４と、ランプ５とを有して構成してある。
【０００４】
そして、交流電源１の交流電圧をＡＣ／ＤＣ変換部２において直流電圧に変換し、高周波発振部３において高周波交流電圧となしている。また、共振回路部４は、コンデンサＣ１とコイルＬ１とを有して構成されている。
【０００５】
ところで、図２６に示すように、ランプ５が点灯するまでの予熱、始動時の共振カーブＣｖ１は、コンデンサＣ１とコイルＬ１とランプ５のフィラメント抵抗によるものであって、高周波発振部３の発信周波数Ｆ１において電圧Ｅ１となるものである。
【０００６】
ランプ５の始動後の定格出力時の共振カーブＣｖ２は、コンデンサＣ１とコイルＬ１とランプインピーダンスによるものであって、発振周波数Ｆ１においては電圧Ｅ２となるものである。
【０００７】
従って、ランプ５の始動時の電圧Ｅ１は、点灯時の電圧Ｅ２より大きくなる。また、図２７に示すように、一般的にランプ５の管径が小さいほど始動時の電圧が高いものとなっており、始動時の電圧が高いランプほど、始動時の電圧と点灯時の電圧との差が大きくなっている。
【０００８】
【発明が解決しようとする課題】
しかしながら、上述のような図２５に示す照明装置にあっては、ランプ５のランプ寿命末期等においてエミッタレスになると放電の維持が困難になり、共振カーブが再び始動時の共振カーブＣｖ１に移行する。また、該共振カーブＣｖ１の移行により、コンデンサＣ１の両端には始動時と同じ高い電圧Ｅ１が印加される。そして、始動時と同じ共振電流がランプ５のフィラメント部５ａに流れるため、フィラメント部５ａでの損失が大きくなる。
【０００９】
従って、始動時の電圧Ｅ１が高い場合には、ランプ５がエミッタレスになることにより、フィラメント部５ａの損失が大きなものとなり、フィラメント部５ａ近傍の温度が上昇し、ソケットやランプ５の口金部等の成形部品に悪影響を及ぼすという問題点があった。
【００１０】
本発明は、上記問題点を改善するために成されたもので、その目的とするところは、ランプのエミッタレス状態において、ソケットや口金部の温度上昇を抑制し、成形部品に悪影響を与えない照明装置を提供することにある。
【００１１】
【課題を解決するための手段】
本発明は上記の問題を解決するために、請求項１記載の発明にあっては、ランプ電極が両端に設けられた放電管及び該放電管の該ランプ電極のある側に設けた口金部を備えるランプと、該ランプに接続され該ランプを共振回路により放電点灯させる高周波点灯装置と、を有して成る照明装置において、前記共振回路に、前記口金部近傍又は前記ランプ電極近傍の異常温度を検知する異常温度検知部を設け、前記異常温度検知部が異常温度を検出すると前記共振回路の共振条件を変更し共振電流を抑制する電流抑制部を設けたことを特徴とするものである。
【００１２】
請求項２記載の発明にあっては、前記放電管の管径は２２ミリメートル以下であることを特徴とするものである。
【００１３】
請求項３記載の発明にあっては、前記異常温度検知部を、前記口金部を支持するソケットに内蔵したことを特徴とするものである。
【００１４】
請求項４記載の発明にあっては、前記異常温度検知部を、前記ランプに設けたことを特徴とするものである。
【００１５】
請求項５記載の発明にあっては、前記異常温度検知部を、前記ランプの前記ランプ電極近傍の前記放電管表面に設けたことを特徴とするものである。
【００１６】
請求項６記載の発明にあっては、前記異常温度検知部を、前記ランプの前記口金部の表面に設けたことを特徴とするものである。
【００１７】
請求項７記載の発明にあっては、前記異常温度検知部を、前記ランプの前記口金部の内部に設けたことを特徴とするものである。
【００１８】
請求項８記載の発明にあっては、前記ランプは、両端の前記ランプ電極を一箇所に集中して設け、前記異常温度検知部を、２つの前記ランプ電極の間に位置させて設けたことを特徴とするものである。
【００２０】
【発明の実施の形態】
本発明にかかる照明装置の第一実施の形態を図１〜図１０に基づいて、第二実施の形態を図１１、図１２に基づいて、第三実施の形態を図１３〜図１５に基づいて、第四実施の形態を図１６〜図１９に基づいて、第五実施の形態を図２０〜図２２に基づいて、第六実施の形態を図２３、図２４に基づいて説明する。
【００２１】
〔第一実施の形態〕
図１は照明装置の構成を示すブロック図である。図２はランプの外形を示す斜視図である。図３は他のランプの外形を示す斜視図である。図４は他のランプの外形を示す斜視図である。図５はソケットの斜視図である。図６はランプの口金部をソケットに嵌合している状態を示す要部断面図である。図７は他のランプの平面図である。図８は他のランプの平面図である。図９は他のランプの口金部をソケットに嵌合している状態を示す要部断面図である。図１０は他のランプの口金部をソケットに嵌合している状態を示す要部断面図である。
【００２２】
図１において、照明装置は、交流電源６、ＡＣ／ＤＣ変換部７、高周波発振部８、共振回路部９を有する高周波点灯装置と、ランプ１０と、を有して構成してある。
【００２３】
そして、交流電源６の交流電圧をＡＣ／ＤＣ変換部７において直流電圧に変換し、高周波発振部８において高周波交流電圧となしている。
【００２４】
ランプ１０は、放電灯であって、第一のランプ電極１０ａ，１０ｂ、第二のランプ電極１０ｃ，１０ｄを有している。そして、第一のランプ電極１０ａと第一のランプ電極１０ｂとはフィラメント部１０ｅを介して電気的に接続されており、第二のランプ電極１０ｃと第二のランプ電極１０ｄとはフィラメント部１０ｆを介して電気的に接続される。
【００２５】
ランプ１０は、管径が２２［ｍｍ］であって、図２乃至図４に示すように放電管に相当するガラス管１０ｇの部分が一又は複数回折り返されて、第一のランプ電極１０ａ、第一のランプ電極１０ｂ、第二のランプ電極１０ｃ、第二のランプ電極１０ｄが一箇所に集中するようになされ、該電極が樹脂製の口金部１０ｈに外囲されるようにして形成したものである。口金部１０ｈは、ガラス管１０ｇを取り付ける基台部１０ｉと基台部１０ｉよりやや縮幅されソケット１２に嵌合する嵌合部１０ｊとより形成されている。
【００２６】
共振回路部９は図１に示すように共振用コイルＬ２と共振用コンデンサＣ３とを有して構成されている。そして、共振用コイルＬ２の一端は直流カット用のコンデンサＣ４を介して高周波発振部８に接続されており、共振用コイルＬ２の他端はランプ１０の第一のランプ電極１０ａに接続されている。また、共振用コンデンサＣ３の一端は第一のランプ電極１０ｂに接続され他端は第二のランプ電極１０ｄに接続されている。第二のランプ電極１０ｃは高周波発振部８に電流遮断部１１を介して接続されている。
【００２７】
電流遮断部１１は、温度ヒューズにより構成されており、ランプ１０の口金部近傍又はランプ電極近傍の異常温度を検知すると、溶断してランプ１０の第二のランプ電極１０ｃと高周波発振部８と接続を遮断するものである。即ち、電流遮断部１１は、ランプ１０がエミッタレス状態になって、フィラメント部１０ｅ，１０ｆの損失が大きなものとなり、フィラメント部１０ｅ，１０ｆ近傍の温度が上昇したときに、経路を遮断してランプ１０に電圧が印加されないようになすものである。
【００２８】
電流遮断部１１はランプ１０を取り付けるソケット１２の内部に設けている。即ち、図５、図６に示すように、ソケット１２は口金部１０ｈの嵌合部１０ｊに嵌合する凹部１２ａを有しており、該凹部１２ａを形成する側壁の内部に電流遮断部１１を設けている。
【００２９】
以上の構成の照明装置にあっては、ランプ１０が寿命末期となってエミッタレス状態になった場合には、電流遮断部１１が、フィラメント部１０ｅ，１０ｆの損失によるフィラメント部１０ｅ，１０ｆ近傍の温度の上昇を検知して経路を遮断し、ランプ１０に電圧が印加されないようになす。
【００３０】
従って、この照明装置にあっては、フィラメント部１０ｅ，１０ｆが長時間高温となってソケット１２やランプ１０の口金部１０ｈ等の成形部品に悪影響を及ぼすということがない。
【００３１】
また、ランプ１０のガラス管１０ｇの管径が小さい程始動電圧が上昇するため、ランプ１０のエミッタレス状態ではより大きな電流が流れてフィラメント部１０ｅ，１０ｆにおける損失が大きくなる。よって、本発明の照明装置は、ランプ１０の管径が小さいランプを用いる場合にはより有効である。
【００３２】
また、ランプ１０の第一のランプ電極１０ａ、第一のランプ電極１０ｂ、第二のランプ電極１０ｃ、第二のランプ電極１０ｄが一箇所の口金部１０ｈに集中して形成されているから、単一の電流遮断部１１により２つのランプ電極の温度を検知することが出来るという利点がある。
【００３３】
また、電流遮断部１１をソケット１２に内設していることにより、ランプ１０のコストを抑え、交換部品であるランプ１０のコストを抑えることにより照明器具装置全体としてのランニングコストを抑えることが出来る。
【００３４】
なお、電流遮断部１１は、ランプ電極近傍の異常温度を検知してランプ１０の第二のランプ電極１０ｃと高周波発振部８を遮断するものであればよく、温度ヒューズに限られるものではない。従って、例えば電流遮断部１１としてサーマルプロテクタを用いてもよい。
【００３５】
また、本実施の形態では、電流遮断部１１は第二のランプ電極１０ｃに接続して設けるものとして説明しているが、これに限られるものではなく、ランプ１０のエミッタレス状態のときにランプ１０と高周波発振部８とを含む経路を遮断するものであればよい。従って、電流遮断部１１を第一のランプ電極１０ａ、第一のランプ電極１０ｂ、第二のランプ電極１０ｄのいずれに接続して設けても良い。
【００３６】
また、本実施の形態ではランプとしてガラス管１０ｇの部分が一又は複数回折り返されたいわゆるコンパクト型のランプ１０を用いて説明しているが、これに限られるものではなく、直管型のランプでもよく、また図７、図８に示す円形のランプ１３や二重になされた円形で互いの円管が連通されたランプ１４であってもよい。この場合においても、電流遮断部１１を図９、図１０に示すソケット１５，１６に内設すればよい。
【００３７】
〔第二実施の形態〕
図１１はランプの外形を示す要部斜視図である。図１２は他のランプの外形を示す要部平面図である。なお、図１１、図１２においては前述の第一実施の形態で説明したところの照明装置と同等の箇所には同じ符号を付してあるので、同等の箇所の詳細な説明は省略する。
【００３８】
図１１、図１２に示す本実施の形態の照明装置が、前述の第一実施の形態で説明したところの照明装置と異なり特徴となるのは次の構成である。
【００３９】
即ち、電流遮断部１１をランプ１０の口金部１０ｈの表面に取り付けた構成である。
【００４０】
詳しくは、図１１に示すように、電流遮断部１１をいわゆるコンパクト型のランプの口金部１０ｈの基台部１０ｉの表面に取り付けて有る。この構成によると、電流遮断部１１をランプ１０に取り付け易いという利点がある。
【００４１】
また、他の構成として、図１２に示すように、電流遮断部１１を円形のランプ１３の口金部１３ａの表面に設けてもよい。
【００４２】
〔第三実施の形態〕
図１３はランプの外形を示す要部斜視図である。図１４は他のランプの外形を示す要部平面図である。図１５は他のランプの外形を示す平面図である。なお、図１３乃至図１５においては前述の第一実施の形態で説明したところの照明装置と同等の箇所には同じ符号を付してあるので、同等の箇所の詳細な説明は省略する。
【００４３】
図１３乃至図１５に示す本実施の形態の照明装置が、前述の第一実施の形態で説明したところの照明装置と異なり特徴となるのは次の構成である。
【００４４】
即ち、電流遮断部１１をランプ１０のガラス管１０ｇの表面に取り付けた構成である。
【００４５】
詳しくは、図１３に示すように、電流遮断部１１をいわゆるコンパクト型のランプのガラス管１０ｇ，１０ｇの表面であって口金部１０ｈの近傍に取り付けて有る。この構成によると、電流遮断部１１をランプ１０に取り付け易いという利点があるとともに、フィラメント部１０ｅ，１０ｆの温度の上昇を素早く検知することができる。
【００４６】
また他の構成として、図１４に示すように、電流遮断部１１を円形のランプ１３の口金部１３ａ近傍のガラス管１３ｂ表面に設けてもよい。また、図１５に示すように、ガラス管が二重になされた円形で互いの円管が連通されたランプ１４の口金部１４ａ近傍のガラス管１４ｂ表面に、電流遮断部１１を設けてもよい。そして、ランプ１４のガラス管１４ｂ表面に電流遮断部１１を設ける場合には、内側のガラス管１４ｂと外側のガラス管１４ｂとに挟まれる位置に電流遮断部１１を設けることにより、ガラス管１４ｂの両端のランプ電極を一つの電流遮断部１１でもって検知することができる。
【００４７】
〔第四実施の形態〕
図１６はランプの要部を示す断面図である。図１７は他のランプの要部を示す断面図である。図１８は他のランプの要部を示す断面図である。図１９は他のランプの要部を示す断面図である。なお、図１６乃至図１９においては前述の第一実施の形態で説明したところの照明装置と同等の箇所には同じ符号を付してあるので、同等の箇所の詳細な説明は省略する。
【００４８】
図１６乃至図１９に示す本実施の形態の照明装置が、前述の第一実施の形態で説明したところの照明装置と異なり特徴となるのは次の構成である。
【００４９】
即ち、電流遮断部１１をランプ１０の口金部１０ｈの内部に設けた構成である。
【００５０】
詳しくは、図１６に示すように、電流遮断部１１をコンパクト型のランプの口金部１０ｈの内部であって、ランプ電極である第一のランプ電極１０ａ、第一のランプ電極１０ｂと第二のランプ電極１０ｃ、第二のランプ電極１０ｄとの間の位置に設けてある。この構成によると、電流遮断部１１はより素早くフィラメント部１０ｅ，１０ｆの温度上昇を検知することができるという利点がある。また、第一のランプ電極１０ａ、第一のランプ電極１０ｂと第二のランプ電極１０ｃ、第二のランプ電極１０ｄとの間の位置に電流遮断部１１を設けることにより、一つの電流遮断部１１によりフィラメント部１０ｅとフィラメント部１０ｆとの両方の温度上昇を検知することができる。一方、図１７に示すように、第一のランプ電極１０ａと第一のランプ電極１０ｂとの間、つまり一方のランプ電極の側に近接して電流遮断部１１を設けても良い。この場合、近接させた側のランプ電極については更に素早くフィラメント部１０ｅの温度上昇を検知することができる。
【００５１】
また他の構成として、図１８に示すように、電流遮断部１１を円形のランプ１３の口金部１３ａ内部に設けてもよい。また、図１９に示すように、ガラス管が二重になされた円形で互いの円管が連通されたランプ１４の口金部１４ａ内部に、電流遮断部１１を設けてもよい。そして、ランプ１４の内部に電流遮断部１１を設ける場合には、内側のガラス管１４ｂのランプ電極と外側のガラス管１４ｂのランプ電極とに挟まれる位置に電流遮断部１１を設けることにより、ガラス管１４ｂの両端のランプ電極の温度上昇を一つの電流遮断部１１でもって検知することができる。
【００５２】
〔第五実施の形態〕
図２０は照明装置の構成を示すブロック図である。図２１は温度検出素子のインピーダンス及び過飽和リアクトルのリアクタンスと、温度との関係を示す説明図である。図２２は温度と共振カーブとの関係を示す説明図である。
【００５３】
図２０においては前述の第一実施の形態で説明したところの照明装置と同等の箇所には同じ符号を付してあるので、同等の箇所の詳細な説明は省略する。
【００５４】
図２０に示す本実施の形態の照明装置が、前述の第一実施の形態で説明したところの照明装置と異なり特徴となるのは次の構成である。
【００５５】
即ち、電流遮断部１１を設けずに、口金部近傍又は前記ランプ電極近傍の異常温度を検知すると、共振回路の共振条件を変更し共振電流を抑制する電流抑制部１７を設けた構成である。
【００５６】
詳しくは、電流抑制部１７は、過飽和リアクトルＴ１と温度検出素子１７ａとより構成してあり、過飽和リアクトルＴ１の一次側コイルＴ１ａの一端はコンデンサＣ４を介して高周波発振部８に接続され、一次側コイルＴ１ａの他端はランプ１０の第一のランプ電極１０ａに接続されている。また、温度検出素子１７ａは過飽和リアクトルＴ１の二次側コイルＴ１ｂに接続されている。
【００５７】
温度検出素子１７ａはランプ１０のフィラメント部１０ｆ近傍に設けられており、図２１に示すように所定温度Ｔ０を超えるとインピーダンスが急激に低下するというインピーダンス特性を有する素子である。所定温度Ｔ０とは具体的には所定温度Ｔ０が持続するとランプ１０の口金部等に悪影響が生じる程度の高温である。
【００５８】
以上のようにして構成した照明装置にあっては、ランプ１０が寿命末期となってエミッタレス状態になった場合には、温度検出素子１７ａはランプ１０が高温となって所定温度Ｔ０を超えたことを検出し、温度検出素子１７ａのインピーダンスが低下する。そして、図２１に示すように、温度検出素子１７ａのインピーダンスの低下にともなって過飽和リアクトルＴ１の一次側コイルＴ１ａのリアクタンスも低下して共振条件が変化する。
【００５９】
その結果、図２２に示すように過飽和リアクトルＴ１の一次側コイルＴ１ａと共振用コンデンサＣ３により決定される共振電流カーブが変化して、共振電流が抑制される。図２２では共振電流カーブが右方に移動して、共振電流カーブＣｖ３から共振電流カーブＣｖ４に変化することにより、発振周波数Ｆ１である場合に共振電流がＩ１からＩ２に低下することを示している。
【００６０】
従って、ランプ１０の温度が所定温度Ｔ０を超えると、共振電流が抑制されて、ランプの温度上昇が抑制される。よって、この照明装置にあっては、フィラメント部１０ｅ，１０ｆが長時間高温となってソケット１２やランプ１０の口金部１０ｈ等の成形部品に悪影響を及ぼすということがない。
【００６１】
なお、本実施の形態では、所定温度Ｔ０を超えると一次側コイルＴ１ａのリアクタンスが低下するものとして説明しているが、所定温度Ｔ０を超えると一次側コイルＴ１ａのリアクタンスが増加するようにしてもよい。この場合、ランプ１０が高温になると図２２に示す共振電流カーブＣｖ３が左方に移動して共振電流カーブＣｖ５となる。
【００６２】
〔第六実施の形態〕
図２３は照明装置の構成を示すブロック図である。図２４は電流抑制部の他の構成を示す概念図である。図２３においては前述の第一実施の形態で説明したところの照明装置と同等の箇所には同じ符号を付してあるので、同等の箇所の詳細な説明は省略する。
【００６３】
図２３に示す本実施の形態の照明装置が、前述の第一実施の形態で説明したところの照明装置と異なり特徴となるのは次の構成である。
【００６４】
即ち、電流遮断部１１を設けずに、口金部近傍又は前記ランプ電極近傍の異常温度を検知すると、共振回路の共振条件を変更し共振電流を抑制する電流抑制部１８を設けた構成である。
【００６５】
詳しくは、電流抑制部１８は、共振用コンデンサＣ３に並列に設けられたコンデンサＣ５と、コンデンサＣ５に直列に設けられた遮断部１９とにより構成されている。そして、共振回路部９は共振用コンデンサＣ３とコンデンサＣ５との並列回路とコイルＬ２より構成されている。
【００６６】
遮断部１９は、口金部１０ｈの近傍に設置されており、ランプ１０の口金部近傍又はランプ電極近傍の異常温度を検知すると、コンデンサＣ５と共振用コンデンサＣ３との接続を遮断するものである。
【００６７】
以上のようにして構成した照明装置にあっては、ランプ１０が寿命末期となってエミッタレス状態になった場合には、遮断部１９はランプ１０が高温となって所定温度Ｔ０を超えたことを検出し、コンデンサＣ５と共振用コンデンサＣ３との接続を遮断する。従って、共振回路部９は共振用コンデンサＣ３とコイルＬ１とにより構成されることになり、所定温度Ｔ０を超える前と超えた後では共振条件が変化する。その結果、共振電流カーブが変化して共振電流が抑制される。
【００６８】
つまり、ランプ１０の温度が所定温度Ｔ０を超えると、共振電流が抑制されて、ランプの温度上昇が抑制される。よって、この照明装置にあっては、フィラメント部１０ｅ，１０ｆが長時間高温となってソケット１２やランプ１０の口金部１０ｈ等の成形部品に悪影響を及ぼすということがない。
【００６９】
なお、本実施の形態ではコンデンサＣ５を共振用コンデンサＣ３に並列に設けるものとして説明しているが、これに限られるものではなく、共振用コンデンサＣ３を図２４に示すように温度特性を有する容量性素子となしてもよい。即ち、電極間に複数の容量部分Ｃｃを設け、各容量部分Ｃｃを並列接続して所定温度Ｔ０以上になった場合には容量部分Ｃｃの一部を切り離して容量を変化させるようになした素子を用いても良い。
【００７０】
【発明の効果】
本発明の照明装置は上述のように構成してあるから、請求項１記載の発明にあっては、共振回路に、口金部近傍又はランプ電極近傍の異常温度を検知する異常温度検知部を設け、異常温度検知部が異常温度を検出すると共振回路の共振条件を変更し共振電流を抑制する電流抑制部を設けたので、ランプのエミッタレス状態において、ソケットや口金部の温度上昇を抑制し、成形部品に悪影響を与えないという効果を奏する。
【００７１】
請求項２記載の発明にあっては、放電管の管径は２２ミリメートル以下であるから、よりランプのエミッタレス状態における温度上昇を防止できるという効果を奏する。
【００７２】
請求項３記載の発明にあっては、異常温度検知部を、口金部を支持するソケットに内蔵したので、交換部品であるランプのコストを抑えることができ、照明器具装置全体としてのランニングコストを抑えることが出来るという効果を奏する。
【００７３】
請求項４記載の発明にあっては、異常温度検知部を、ランプに設けたので、素早く温度上昇を検知することができるという効果を奏する。
【００７４】
請求項５記載の発明にあっては、異常温度検知部を、ランプ電極近傍の前記放電管表面に設けたので、電流遮断部の取り付けが簡易であるという効果を奏する。
【００７５】
請求項６記載の発明にあっては、異常温度検知部を、前記口金部の表面に設けたので、電流遮断部の取り付けが簡易であるという効果を奏する。
【００７６】
請求項７記載の発明にあっては、異常温度検知部を、口金部の内部に設けたので、素早く温度上昇を検知することができるという効果を奏する。
【００７７】
請求項８記載の発明にあっては、ランプは、両端の前記ランプ電極を一箇所に集中して設け、異常温度検知部を、２つのランプ電極の間に位置させて設けたので、２つのランプ電極の温度上昇を一つの電流遮断部で検知することができるという効果を奏する。
【図面の簡単な説明】
【図１】本発明の第一実施の形態の照明装置の一構成例を示すブロック図である。
【図２】ランプの外形を示す斜視図である。
【図３】他のランプの外形を示す斜視図である。
【図４】他のランプの外形を示す斜視図である。
【図５】ソケットの斜視図である。
【図６】ランプの口金部をソケットに嵌合している状態を示す要部断面図である。
【図７】他のランプの平面図である。
【図８】他のランプの平面図である。
【図９】他のランプの口金部をソケットに嵌合している状態を示す要部断面図である。
【図１０】他のランプの口金部をソケットに嵌合している状態を示す要部断面図である。
【図１１】第二実施の形態のランプの外形を示す要部斜視図である。
【図１２】他のランプの外形を示す要部平面図である。
【図１３】第三実施の形態のランプの外形を示す要部斜視図である。
【図１４】他のランプの外形を示す要部平面図である。
【図１５】他のランプの外形を示す平面図である。
【図１６】第四実施の形態のランプの要部を示す断面図である。
【図１７】他のランプの要部を示す断面図である。
【図１８】他のランプの要部を示す断面図である。
【図１９】他のランプの要部を示す断面図である。
【図２０】第五実施の形態の照明装置の一構成例を示すブロック図である。
【図２１】温度検出素子のインピーダンス及び過飽和リアクトルのリアクタンスと、温度との関係を示す説明図である。
【図２２】温度と共振カーブとの関係を示す説明図である。
【図２３】第六実施の形態の照明装置の一構成例を示すブロック図である。
【図２４】電流抑制部の他の構成を示す概念図である。
【図２５】従来の照明装置の一構成例を示すブロック図である。
【図２６】共振カーブの説明図である。
【図２７】ランプの管径と始動電圧及び定格出力時ランプ電圧との関係の説明図である。
【符号の説明】
１０ｇ  放電管
１０ａ  ランプ電極
１０ｂ  ランプ電極
１０ｃ  ランプ電極
１０ｄ  ランプ電極
１０ｈ  口金部
１０    ランプ
１１    電流遮断部
１７    電流抑制部
１８    電流抑制部
【図１】
0003834968.tif 000002
【図２】
0003834968.tif 000003
【図３】
0003834968.tif 000004
【図４】
0003834968.tif 000005
【図５】
0003834968.tif 000006
【図６】
0003834968.tif 000007
【図７】
0003834968.tif 000008
【図８】
0003834968.tif 000009
【図９】
0003834968.tif 000010
【図１０】
0003834968.tif 000011
【図１１】
0003834968.tif 000012
【図１２】
0003834968.tif 000013
【図１３】
0003834968.tif 000014
【図１４】
0003834968.tif 000015
【図１５】
0003834968.tif 000016
【図１６】
0003834968.tif 000017
【図１７】
0003834968.tif 000018
【図１８】
0003834968.tif 000019
【図１９】
0003834968.tif 000020
【図２０】
0003834968.tif 000021
【図２１】
0003834968.tif 000022
【図２２】
0003834968.tif 000023
【図２３】
0003834968.tif 000024
【図２４】
0003834968.tif 000025
【図２５】
0003834968.tif 000026
【図２６】
0003834968.tif 000027
【図２７】
0003834968.tif 000028